(57)【要約】【課題】  被清掃面が布団等の寝具の場合に、被清掃面に塵埃を叩き出す効果と、叩き出された塵埃を掻き取る効果の両方の効果を奏することができる寝具用吸込具及びこの寝具用吸込具を備えた電気掃除機を提供する。【解決手段】  寝具用吸込具２は、開口に臨ませて吸込口本体４内に回転自在且つ並列に設置された回転衝撃体１４及び回転清掃体１５から構成される２本の回転体１４、１５と、この２本の回転体１４、１５の両端部に各々設置された軸受部材とを備えている。この２本の回転体１４、１５は、同一方向に回転するものであって、その回転数が各々毎分４００回以上１４００回未満としている。【選択図】図２
2017131540.tif 000002
【特許請求の範囲】
【請求項１】
開口を有する吸込口本体と、前記開口に臨ませて前記吸込口本体内に回転自在且つ並列に設置された回転衝撃体及び回転清掃体から構成される２本の回転体と、前記２本の回転体の両端部に各々設置された軸受部材とを備え、前記２本の回転体は、同一方向に回転するものであって、その回転数が各々毎分４００回以上１４００回未満であることを特徴とする寝具用吸込具。
【請求項２】
開口を有する吸込口本体と、前記開口に臨ませて前記吸込口本体内に回転自在且つ並列に設置された回転衝撃体及び回転清掃体から構成される２本の回転体と、前記２本の回転体の両端部に各々設置された軸受部材とを備え、前記回転衝撃体は、２条の衝撃体を有し、前記回転清掃体は、２条以上の清掃体を有しているものであって、前記２本の回転体の回転数が各々毎分４００回以上１４００回未満であることを特徴とする寝具用吸込具。
【請求項３】
通常の掃除状態において、吸込口本体を前方に操作した時に、進行方向の前方に回転衝撃体が設置され、後方に回転清掃体が設置されていることを特徴とする請求項１又は２に記載の寝具用吸込具。
【請求項４】
回転清掃体の外径は、回転衝撃体の外径よりも小さいことを特徴とする請求項１〜３のいずれか１項に記載の寝具用吸込具。
【請求項５】
単位時間当たりの回転衝撃体の回転数と回転清掃体の回転数とが略同一であることを特徴とする請求項１〜４のいずれか１項に記載の寝具用吸込具。
【請求項６】
２本の回転体を回転駆動させるモータを備え、前記モータの回転力は、回転衝撃体から回転清掃体へと伝達されることを特徴とする請求項１〜５のいずれか１項に記載の寝具用吸込具。
【請求項７】
吸引力を発生させる電動送風機と、塵埃を捕集する集塵室と、請求項１〜６のいずれか１項に記載の寝具用吸込具とを備えていることを特徴とする電気掃除機。
【発明の詳細な説明】
【技術分野】
【０００１】
本発明は、被清掃面として特に布団等に付着した塵埃、ダニ等を除去する用途に適した寝具用吸込具と、この寝具用吸込具を備えた電気掃除機に関するものである。
【背景技術】
【０００２】
従来から、様々な構造の電気掃除機が開発されており、特に布団に付着した塵埃やダニ等の除去を行う用途のものとしては、床面方向に開口する横長吸口に、開口部から床面に突出するよう偏心回転し得る２本の棒状叩き部材を開口部内の横長方向に並設した構造の吸込具を備えた電気掃除機が知られている（特許文献１）。
【０００３】
また、寝具等の塵埃を除去する為に、吸込具に回転自在に収着されると共に、外周長手方向に支持溝を有するロータと、下端に支持溝に挿入される基部を有し、被清掃面の塵埃を除去する為の清掃体と被清掃面を叩く為の叩打部を有する清掃体とを有する回転清掃体とを備えた電気掃除機用の吸込具が知られている（特許文献２）。
【先行技術文献】
【特許文献】
【０００４】
【特許文献１】特開２００３−６１８７５号公報
【特許文献２】特開２０１５−１０９９４０号公報
【発明の概要】
【発明が解決しようとする課題】
【０００５】
しかしながら、上記特許文献１に記載された吸込具は、塵埃を掻き出す為の回転清掃体を備えていないことから、２本の棒状叩き部材によって叩き出した塵埃を掻き取ることができず、その清掃効果は限定的なものとなっていた。
【０００６】
また、特許文献２に記載された吸込具は、１本の回転清掃体に塵埃を除去する為の清掃体と、被清掃面を叩く為の清掃体とが備えられていることから、清掃体で叩いた直後に塵埃を除去する為の清掃体で被清掃面を押さえ付けるため、被清掃面が十分に復元しないまま叩き続けることとなり、その清掃効果は限定的なものとなっていた。
【０００７】
本発明は、前記従来の課題を解決するものであり、被清掃面が布団等の寝具の場合に、被清掃面に塵埃を叩き出す効果と、叩き出された塵埃を掻き取る効果の両方の効果を奏することができる寝具用吸込具及びこの寝具用吸込具を備えた電気掃除機を提供することを目的とする。
【課題を解決するための手段】
【０００８】
前記従来の課題を解決するために、請求項１の寝具用吸込具の発明は、開口を有する吸込口本体と、前記開口に臨ませて前記吸込口本体内に回転自在且つ並列に設置された回転衝撃体及び回転清掃体から構成される２本の回転体と、前記２本の回転体の両端部に各々設置された軸受部材とを備え、前記２本の回転体は、同一方向に回転するものであって、その回転数が各々毎分４００回以上１４００回未満であることを特徴としている。
【０００９】
請求項１の寝具用吸込具は、回転衝撃体と回転清掃体から構成される２本の回転体を備えているので、回転衝撃体によって、被清掃面に塵埃等を叩き出すと共に、叩き出された塵埃等は、回転清掃体によって、被清掃面から掻き出すことができる。また。２本の回転体を同一方向に回転させていることから、被清掃面がシーツ等の場合には、しわの発生を防ぐと共に、２本の回転体の間にシーツ等が巻き込まれるのを防止することができる。さらに、２本の回転体の回転数を各々毎分４００回以上１４００回未満とすることによって、塵埃等を叩き出す効果と掻き出す効果を各々最大とすることができ、清掃効果を高めることができる。尚、２本の回転体の回転数は、上記範囲内であれば、異なる回転数とすることもできる。
【００１０】
請求項２の寝具用吸込具の発明は、開口を有する吸込口本体と、前記開口に臨ませて前記吸込口本体内に回転自在且つ並列に設置された回転衝撃体及び回転清掃体から構成される２本の回転体と、前記２本の回転体の両端部に各々設置された軸受部材とを備え、前記回転衝撃体は、２条の衝撃体を有し、前記回転清掃体は、２条以上の清掃体を有しているものであって、前記２本の回転体の回転数が各々毎分４００回以上１４００回未満であることを特徴としている。
【００１１】
請求項２の寝具用吸込具は、回転衝撃体と回転清掃体から構成される２本の回転体を備えているので、回転衝撃体によって、被清掃面に塵埃等を叩き出すと共に、叩き出された塵埃等は、回転清掃体によって、被清掃面から掻き出すことができる。また、回転衝撃体が、２条の衝撃体を有し、回転清掃体が、２条以上の清掃体を有していることによって、清掃効果を一層高めることができる。さらに、２本の回転体の回転数を各々毎分４００回以上１４００回未満とすることによって、塵埃等を叩き出す効果と掻き出す効果を各々最大とすることができ、清掃効果を高めることができる。
【００１２】
請求項３の発明は、請求項１又は２の発明において、通常の掃除状態において、吸込口本体を前方に操作した時に、進行方向の前方に回転衝撃体が設置され、後方に回転清掃体が設置されていることを特徴としている。したがって、前方の回転衝撃体によって、被清掃面に塵埃等を叩き出すと共に、叩き出された塵埃等は、後方の回転清掃体によって、被清掃面から掻き出すことができる。
【００１３】
請求項４の発明は、請求項１〜３のいずれかの発明において、回転清掃体の外径は、回転衝撃体の外径よりも小さいことを特徴としている。回転衝撃体の外径を大きくすることによって、回転衝撃体を構成する衝撃体の先端の速度を速くすることができるので、被清掃面を強く叩くことができる。また、回転清掃体の外径を小さくすることによって、回転清掃体を構成する清掃体の毛腰を強くすることができるので、被清掃面から塵埃等を強く掻き出すことができる。
【００１４】
請求項５の発明は、請求項１〜４のいずれかの発明において、単位時間当たりの回転衝撃体の回転数と回転清掃体の回転数とが略同一であることを特徴としている。非回転時に、回転衝撃体を構成する衝撃体と、回転清掃体を構成する清掃体のどちらか一方が被清掃面に接していないように設計し、略同一の回転数で回転させることによって、衝撃体と清掃体が同時に被清掃面に接するのを避けることができるので、寝具用吸込具の静音性を向上させることができる。
【００１５】
請求項６の発明は、請求項１〜５のいずれかの発明において、２本の回転体を回転駆動させるモータを備え、前記モータの回転力は、回転衝撃体から回転清掃体へと伝達されることを特徴としている。したがって、高トルクが必要な回転衝撃体へ先に回転力を伝達することができ、モータの回転力の伝達ロスを軽減することができる。
【００１６】
請求項７の電気掃除機の発明は、吸引力を発生させる電動送風機と、塵埃を捕集する集塵室と、請求項１〜６のいずれかの寝具用吸込具とを備えていることを特徴としている。したがって、塵埃等を叩き出す効果と掻き出す効果を各々最大とすることができ、清掃効果を高めることができる電気掃除機を提供することができる。
【発明の効果】
【００１７】
請求項１〜３の発明は、塵埃等を叩き出す効果と掻き出す効果を各々最大とすることができ、清掃効果を高めることができる。また、請求項４の発明は、被清掃面を強く叩くことができると共に、被清掃面から塵埃等を強く掻き出すことができるので、清掃効果を一層高めることができる。
【００１８】
請求項５の発明は、寝具用吸込具の静音性を向上させることができる。また、請求項６の発明は、モータの回転力の伝達ロスを軽減することができる。そして、請求項７の発明は、塵埃等を叩き出す効果と掻き出す効果を各々最大とすることができ、清掃効果を高めることができる電気掃除機を提供することができる。
【図面の簡単な説明】
【００１９】
【図１】本発明に係る寝具用吸込具を吸込口側から視た斜視図
【図２】図１のＡ−Ａ断面図
【図３】本発明に係る寝具用吸込具の上ケースを外した状態を示す斜視図
【図４】本発明に係る電気掃除機を示す斜視図
【発明を実施するための形態】
【００２０】
以下、本発明の実施形態について、図面を参照しながら説明する。なお、この実施の形態によって本発明が限定されるものではない。
【００２１】
図１は本発明に係る寝具用吸込具を吸込口側から視た斜視図であり、図２は、図１のＡ−Ａ断面図である。これらの図を用いて本発明に係る寝具用吸込具を詳細に説明する。
【００２２】
寝具用吸込具２は、底面に被清掃面から塵埃を吸引する幅広の開口１６を有し、２本の回転体が収納されている回転体収納室１６ａと、回転体収納室１６ａに先端が連通する塵埃通路１６ｂを有する幅広の上ケース４ａと下ケース４ｂで形成された略直方体状の吸込口本体４と、この吸込口本体４の後部両側から突出するように吸込口本体４に回転自在に取り付けられた一対の走行車輪５ａ、５ｂを備えている。また、後述するように、ホース３の前端部３ａと連結する連結具６と、連結具６の側部に固定された操作ハンドル７とを備えている（図４参照）。
【００２３】
また、寝具用吸込具２は、開口１６に臨ませて吸込口本体４内に回転自在且つ並列に設置された回転衝撃体１４及び回転清掃体１５から構成される２本の回転体１４、１５と、この２本の回転体１４、１５の両端部に各々設置された軸受部材とを備えている。この２本の回転体１４、１５は、同一方向に回転するものであって、その回転数が各々毎分４００回以上１４００回未満としている。これにより、塵埃等を叩き出す効果と掻き出す効果を各々最大とすることができ、清掃効果を高めることができる。
【００２４】
回転衝撃体１４は、２条の衝撃体１４Ａ、１４Ａと回転ロータ１４ｄとから構成されており、衝撃体１４Ａ、１４Ａは、短手方向の一方の端部に形成された叩打部１４ａと、短手方向の他方の端部に形成された基部１４ｂと、叩打部１４ａと基部１４ｂとの間に位置する中間部１４ｃとを備えている。そして、回転ロータ１４ｄに形成されている溝に衝撃体１４Ａの基部１４ｂが挿入され、固定されている。また、回転ロータ１４ｄは、後述するように、下ケース４ｂに取り付けられた軸受部材によって、回転自在に軸支されている。
【００２５】
また、回転清掃体１５は、４条の清掃体１５Ａ、１５Ａ・・と回転ロータ１５ｃとから構成されており、清掃体１５Ａ、１５Ａ・・は、ブラシ部１５ａと、基台１５ｂとを備えている。そして、回転ロータ１５ｃに形成されている溝に清掃体１５Ａの基台１５ｂが挿入され、固定されている。また、回転ロータ１５ｃは、後述するように、下ケース４ｂに取り付けられた軸受部材によって、回転自在に軸支されている。尚、清掃体１５Ａは、本実施例では４条としているが、これに限定されるものではなく、２条以上であれば、被清掃面の塵埃掻き出し効果を奏することができる。
【００２６】
寝具用吸込具２は、通常の掃除状態において、吸込口本体４を前方に操作した時に、進行方向の前方に回転衝撃体１４が設置され、後方に回転清掃体１５が設置される構成としている。これにより、前方の回転衝撃体１４によって、被清掃面に塵埃等を叩き出すと共に、叩き出された塵埃等は、後方の回転清掃体１５によって、被清掃面から効率良く掻き出すことができる。
【００２７】
また、寝具用吸込具２は、回転清掃体１５の外径は、回転衝撃体１４の外径よりも小さくしている。回転衝撃体１４の外径を大きくすることによって、回転衝撃体１４を構成する衝撃体１４Ａの先端の速度を速くすると共に、衝撃体１４Ａをしならせることができるので、被清掃面を強く叩くことができる。また、回転清掃体１５の外径を小さくすることによって、回転清掃体１５を構成する清掃体１５Ａの毛腰を強くすることができるので、被清掃面から塵埃等を強く掻き出すことができる。
【００２８】
また、寝具用吸込具２は、単位時間当たりの回転衝撃体１４の回転数と回転清掃体１５の回転数とが略同一となるようにしている。これにより、非回転時に、回転衝撃体１４を構成する衝撃体１４Ａと、回転清掃体１５を構成する清掃体１５Ａのどちらか一方が被清掃面に接していないように設計し、略同一の回転数で回転させることによって、衝撃体１４Ａと清掃体１５Ａが同時に被清掃面に接するのを避けることができるので、寝具用吸込具２の静音性を向上させることができる。
【００２９】
図３は、本発明に係る寝具用吸込具の上ケースを外した状態を示す斜視図である。図３を用いて回転衝撃体１４及び回転清掃体１５の駆動機構について説明する。図３に示すように、吸込口本体に設置された車輪５ａと車輪５ｂとの間にモータ２６が設置されている。詳述すると、モータ２６は、車輪５ａ、５ｂのそれぞれの軸心の延長がモータの一部を貫通する位置に設置されている。したがって、寝具用吸込具２を大型化させることなく、コンパクトな形状とすることができると共に、寝具用吸込具２の重心を車輪間に設定することができるので、寝具用吸込具２を被清掃面に押し付けながら安定して操作できる。
【００３０】
モータ２６は、回転衝撃体１４及び回転清掃体１５を以下の機構によって回転駆動させている。即ち、モータ２６の出力軸２６ａを回転させると、回転ベルト２５を介してギア２７が回転する。そして、ギア２７が固定されている回転軸２４に固定されているギア２３が回転すると、回転ベルト１９を介してギア１８ａが回転する。ギア１８ａは、回転衝撃体１４の回転ロータ１４ｄに固定されていることから、ギア１８ａの回転によって、回転衝撃体１４が回転する。ここで、回転ロータ１４ｄの両端部には、軸受部材１７ａ、１７ｂが取り付けられており、この軸受部材１７ａ、１７ｂは、吸込口本体の下ケース４ｂに着脱可能な状態で設置されている。
【００３１】
次に、回転清掃体１４が回転すると、回転ロータ１４ｄに固定されているギア１８ｂが回転し、回転ベルト２２を介してギア２１が回転する。ギア２１は、回転清掃体１５の回転ロータ１５ｃに固定されていることから、ギア２１の回転によって回転清掃体１５は、回転衝撃体１４と同じ方向に回転することとなる。ここで、回転ロータ１５ｃの両端部には、軸受部材２０ａ、２０ｂが取り付けられており、この軸受部材２０ａ、２０ｂは、吸込口本体の下ケース４ｂに着脱可能な状態で設置されている。
【００３２】
図４は、本発明に係る電気掃除機を示す斜視図である。この図を用いて本発明に係る電気掃除機を詳細に説明する。電気掃除機１０は、主に、布団に付着したダニやほこり等を除去するために使用される電気掃除機であり、吸引力を発生させる電動送風機と、塵埃を捕集する集塵室とを有する掃除機本体１と、上述した寝具用吸込具２とを備えている。また、掃除機本体１と寝具用吸込具２は、ホース３によって連結されている。したがって、床面に付着している塵埃等は、寝具用吸込具２によって吸引され、ホース３内部を通過した後、掃除機本体１の集塵室へと収容される。
【００３３】
寝具用吸込具２は、吸込具本体４の後部両側から突出するように吸込具本体４に回転自在に取り付けられた一対の走行車輪５ａ、５ｂと、ホース３の前端部３ａと連結する連結具６と、連結具６の側部に固定された操作ハンドル７とを備えている。
【００３４】
掃除機本体１は、本体上ケース８ａと本体下ケース８ｂとで構成され、平面視が円形状であって側面が曲面にて形成されている本体ケース８と、本体ケース８に形成された連結口９と、本体上ケース８ａに固定されているアーチ状の取っ手１１と、本体下ケース８ｂに固定されている電源コード１３を備えており、連結口９には、ホース３の後端部３ｂが連結している。また、取っ手１１には、電源スイッチ１２ａが設置されている。
【００３５】
前述したように、本発明に係る電気掃除機は、主に布団に付着したダニやほこり等を除去するために使用されるものであり、使用者は、一方の手で、掃除機本体１の取っ手１１を把持して布団近傍に掃除機本体１を載置した後、他方の手で、寝具用吸込具２の操作ハンドル７を把持して被掃除面である布団に寝具用吸込具２の吸込口を当接することによって掃除が行われる。
【００３６】
上述のように、掃除機本体１は被掃除面である布団の近傍に載置しておけばよいので、従来の掃除機のように車輪を底面に設置する必要はない。また、ホース３の長さも従来の掃除機のホースと比較して短くすることができる。さらに、掃除機本体１の向きを変えたい場合には、取っ手１１を把持し、平面視円形状の掃除機本体１の軸心を中心にして回転させればよいので、容易に掃除機本体１の向きを変えることができる。
【００３７】
次に、本発明の寝具用吸込具２の除塵効果及び使用後の被清掃面の状態について、下記要領にて試験した。試験に使用した本発明の寝具用吸込具２は吸込仕事率６０Ｗである。また、回転衝撃体１４に使用する衝撃体１４Ａはエラストマ―で形成されており、回転清掃体１５に使用する清掃体１５Ａはナイロン樹脂毛材で形成した起毛布を４条使用している。その起毛布の毛材は、線径０．０７５ｍｍのものが２条、線径０．０９３ｍｍのものが２条使用されている。次に、試験に使用した寝具及び試験方法について説明する。塵埃を表面に置いた敷布団をシーツで覆い、このシーツ上を被清掃面として寝具用吸込具２を１往復させて掃除した。
【００３８】
以上の条件で掃除した後、敷布団上に置いた塵埃の除塵状況及び被清掃面の傷付き具合を目視にて評価した。また、回転衝撃体１４及び回転清掃体１５の回転数による影響を評価するため、回転数を変えて前述の条件で掃除を繰り返した。その試験結果を表１に示す。なお、表１の評価は下記基準により判定した。
（除塵効果）
○・・・塵埃の取り残しが無い
×・・・塵埃の取り残しがある
（被清掃面の状態）
○・・・シーツ表面の繊維に傷付きは見当たらない
×・・・シーツ表面の繊維が毛羽立ち、傷付いている
【００３９】
【表１】
2017131540.tif 000003
【００４０】
上記試験結果より、本発明の寝具用吸込具２は、除塵効果の評価については、回転数が毎分４００回以上で良好な結果となった。また、被清掃面の状態の評価については、回転数が毎分１４００回未満で良好な結果となった。したがって、回転衝撃体１４及び回転清掃体１５の回転数が毎分４００回以上１４００回未満であると、高い除塵効果を有すると共に被清掃面に優しい寝具用吸込具２となる事が確認できた。
【産業上の利用可能性】
【００４１】
本発明に係る寝具用吸込具及び電気掃除機は、布団等の寝具の被清掃面に付着した塵埃やダニ等を除去するための寝具用吸込具及び電気掃除機として利用される。
【符号の説明】
【００４２】
１  掃除機本体
２  寝具用吸込具
３  ホース
３ａ  前端部
３ｂ  後端部
４  吸込口本体
４ａ  上ケース
４ｂ  下ケース
５ａ、５ｂ  車輪
６  連結具
７  操作ハンドル
８  本体ケース
８ａ  本体上ケース
８ｂ  本体下ケース
９  連結口
１０  電気掃除機
１１  取っ手
１２ａ  電源スイッチ
１３  電源コード
１４  回転衝撃体
１４Ａ  衝撃体
１４ａ  叩打部
１４ｂ  基部
１４ｃ  中間部
１４ｄ、１５ｃ  回転ロータ
１５  回転清掃体
１５Ａ  清掃体
１５ａ  ブラシ部
１５ｂ  基台
１６  開口
１７ａ、１７ｂ、２０ａ、２０ｂ  軸受部材
１８ａ、２１、２７  ギア
１９、２２、２５  回転ベルト
２６  モータ
【図１】
2017131540.tif 000004
【図２】
2017131540.tif 000005
【図３】
2017131540.tif 000006
【図４】
2017131540.tif 000007